(57)【要約】【課題】  眼球上への薬液口の配置を容易とし、適切な点眼を行なうことができる点眼薬容器を提供することを目的とする。【解決手段】  薬液を入れる主容器部分と、該薬液を滴下する薬液口とを有する点眼薬容器であって、点眼時に、前記薬液口が眼球の略真上であることを視認させる視認部分を備え、前記視認部分は、前記薬液口側に底部を有し、所定容積を備える副容器部を、該薬液口を取り囲む位置に配置し、透明で、かつ、着色された液体を、少なくとも前記薬液口が略真上である場合に前記底部を覆う所定量以上、前記副容器部の内部に封入し、前記液体を透過する光量を、前記薬液口側から視認可能に形成した点眼薬容器とする。【選択図】  図１
2007037775.tif 000002
【特許請求の範囲】
【請求項１】
薬液を入れる主容器部分と、該薬液を滴下する薬液口とを有する点眼薬容器であって、
点眼時に、前記薬液口が眼球の略真上であることを視認させる視認部分を備え、
前記視認部分は、
前記薬液口側に底部を有し、所定容積を備える副容器部を、該薬液口を取り囲む位置に配置し、
透明で、かつ、着色された液体を、少なくとも前記薬液口が略真上である場合に前記底部を覆う所定量以上、前記副容器部の内部に封入し、
前記液体を透過する光量を、前記薬液口側から視認可能に形成した
点眼薬容器。
【請求項２】
請求項１に記載の点眼薬容器であって、
前記副容器部の底部は、前記薬液口を中心とした円形外形である点眼薬容器。
【請求項３】
請求項１または２に記載の点眼薬容器であって、
前記液体には、前記薬液口に対するコントラストの大きい色彩を着色した点眼薬容器。
【請求項４】
請求項１ないし３のいずれかに記載の点眼薬容器であって、
前記視認部分を前記主容器部分とは別体で構成し、該視認部分を該主容器部分に、後から取り付け可能に形成した点眼薬容器。
【請求項５】
薬液口を有する点眼薬容器に取り付ける点眼用補助具であって、
前記薬液口を取り囲む位置に係合する係合部と、前記点眼薬容器に取り付けた際に該薬液口側から視認できる底部とを備え、所定容積を有する副容器部と、
前記副容器部の内部に封入し、前記点眼薬容器に取り付けた際、少なくとも前記薬液口が眼球の略真上である場合に前記底部を覆う所定量以上であり、透明で、かつ、着色された液体とを備え、
前記液体を透過する光量を、前記底部側から視認可能に形成した
点眼用補助具。
【発明の詳細な説明】
【技術分野】
【０００１】
本発明は、点眼薬を適切に滴下させるための補助具または点眼薬用の容器に関する。
【背景技術】
【０００２】
一般に、自分で点眼する場合には、上を向き、点眼薬容器を眼球の真上に移動し、指で点眼薬容器を押圧することで薬液を滴下する。一見簡単に思われる点眼動作も、不慣れな人の場合には、薬液を眼球の上に適切に落とすことが難しい。こうした点眼を容易にするため、従来から点眼薬用の容器や補助具など、種々の構造が検討されている。
【０００３】
例えば、下記特許文献１には、点眼薬用の容器本体に固定する取付部に、容器本体の口部（薬液口）よりも延長する離隔部を備え、離隔部の先部に上瞼を眉毛方向に押しやる押圧部を備えた点眼具が開示されている。また、下記特許文献２には、点眼薬用の容器のノズル部（薬液口）の基端に装着する付属部品で、鏡面を形成した樹脂シートが開示されている。こうした部品を備えて点眼することで、目薬を容易かつ確実に滴下できるとされている。
【０００４】
【特許文献１】特開２００１−２９３０６４号公報
【特許文献２】実開平６−３８９９２号公報
【発明の開示】
【発明が解決しようとする課題】
【０００５】
しかしながら、こうした補助具を用いたとしても、やはり点眼薬の薬滴を適切に眼球に滴下することが難しいという問題があった。すなわち、こうした補助具は、視線と薬液口との軸を合わせることを補助するにすぎないため、図５の薬液口の状態Ｂに示すように、眼球が真上からずれている場合には、点眼に失敗してしまうことがあった。眼球への適切な滴下を行なうには、上を向いた眼球の真上に薬液口が配置されている必要があり、従来技術では、こうした位置ずれの判断が困難であった。なお、適切な点眼を行なうためには、図５の状態Ａに示すように、眼球の真上に薬液口がきていれば良く、薬液口の軸の多少の傾きは問題とならない。
【０００６】
本発明は、こうした問題を踏まえて、眼球上への薬液口の配置を容易とし、適切な点眼を行なうことができる点眼薬容器を提供することを目的とする。
【課題を解決するための手段】
【０００７】
本発明の点眼薬容器は、上記課題を鑑み、以下の手法を採った。すなわち、薬液を入れる主容器部分と、該薬液を滴下する薬液口とを有する点眼薬容器であって、点眼時に、前記薬液口が眼球の略真上であることを視認させる視認部分を備え、前記視認部分は、前記薬液口側に底部を有し、所定容積を備える副容器部を、該薬液口を取り囲む位置に配置し、透明で、かつ、着色された液体を、少なくとも前記薬液口が略真上である場合に前記底部を覆う所定量以上、前記副容器部の内部に封入し、前記液体を透過する光量を、前記薬液口側から視認可能に形成したことを要旨としている。
【０００８】
本発明の点眼薬容器によれば、点眼の際に、点眼する側の眼球によって視認部分の底部の液体の色彩を視認することができる。この液体には所定色の着色が施されているため、その色むらを視認することで、薬液口の三次元的な位置、つまり、薬液口が眼球の略真上であるか否かを判断することができる。薬液口が眼球の略真上であると判断した時に、点眼薬容器を指で押圧することで、液滴を眼球から外すことなく滴下することができる。したがって、容易で適切な点眼を行なうことができる。
【０００９】
上記の構成を有する点眼薬容器の副容器部の底部は、前記薬液口を中心とした円形外形であるものとしても良い。
【００１０】
かかる点眼薬容器によれば、円形外形で底部を形成し、副容器部を比較的簡単な形状で構成することができる。したがって、点眼薬容器全体としての自由度が増し、視認部分を備えた点眼薬容器を容易に形成することができる。
【００１１】
上記の構成を有する点眼薬容器における液体には、前記薬液口に対するコントラストの大きい色彩を着色するものとしても良い。こうすることで、液体の部分と薬液口の部分とを明確に認識することができ、薬液口が眼球の真上にあるか否かの判断が容易となる。
【００１２】
上記の構成を有する点眼薬容器は、前記視認部分を前記主容器部分とは別体で構成し、該視認部分を該主容器部分に、後から取り付け可能に形成したものとしても良い。
【００１３】
かかる点眼薬容器によれば、主容器部分と、視認部分とを別個独立に形成し、組み合わせて点眼薬容器を構成する。したがって、主容器部分と視認部分とを一体で形成する場合に比べて、点眼薬容器の製作を容易なものとすることができる。
【００１４】
本発明の点眼用補助具は、薬液口を有する点眼薬容器に取り付ける点眼用補助具であって、前記薬液口を取り囲む位置に係合する係合部と、前記点眼薬容器に取り付けた際に該薬液口側から視認できる底部とを備え、所定容積を有する副容器部と、前記副容器部の内部に封入し、前記点眼薬容器に取り付けた際、少なくとも前記薬液口が眼球の略真上である場合に前記底部を覆う所定量以上であり、透明で、かつ、着色された液体とを備え、前記液体を透過する光量を、前記底部側から視認可能に形成したことを要旨としている。
【００１５】
本発明の点眼用補助具によれば、点眼薬容器に取り付けて点眼時に使用する際、液体の色むらを底部側から視認することで、点眼薬容器が眼球の略真上にあるか否かの判断を容易とすることができる。したがって、適切な点眼の実行を補助することができる。
【発明を実施するための最良の形態】
【００１６】
以下、本発明の実施の携帯について説明する。図１は、本発明の一実施例としての点眼薬容器の概略構成図である。図示するように、この点眼薬容器１０は、点眼薬液５０の液滴の出口である薬液口を備えた薬液口部分２０，点眼薬液５０を収容する主容器部分２５，薬液口２０が眼球の略真上であることを視認させるマーカー部分３０，薬液口部分２０に装着するキャップ６０などから構成されている。
【００１７】
薬液口部分２０は、円柱端部に円錐をつなぎ合わせた外形形状を有し、その内部には、主容器部分２５の内部と連通する通路を備えている。点眼時には、主容器部分２５からの薬液が、この通路を通って薬液口から滴下する。この薬液口部分２０の円錐状の外周部分には、キャップ６０の雌ネジと係合する雄ネジが螺設されている。こうした構造の薬液口部分２０は、所定色の色彩を付した樹脂材料から形成されている。
【００１８】
主容器部分２５は、透明の樹脂材料からなる略円筒形状の容器であり、その内部には無色透明の点眼薬液５０が収容されている。主容器部分２５の上方端面は、薬液口部分２０の円柱外形の端面と接合されている。こうして薬液口部分２０と一体化された主容器部分２５を下方に向け、主容器部分２５の側面を指で押圧することで、主容器部分２５から押し出された点眼薬液５０が滴下する。
【００１９】
マーカー部分３０は、主容器部分２５の外径とほぼ同等な外径を有し、主容器部分２５の１／４程度の高さからなる略円筒形状の容器を備えている。マーカー部分３０は、その容器内部に、所定色に着色した透明の液体であるマーカー液４０を注入し、上から円盤状の部材で蓋をすることで形成される。容器と蓋とは隙間なく接合されており、マーカー部分３０がどのような姿勢を取っても、マーカー液４０が外部に漏れ出すことはない。以下の説明では、点眼時の姿勢を考慮して、このマーカー部分３０の蓋の部分を底部３２と呼ぶこととする。なお、マーカー液４０の所定色には、薬液口部分２０の色彩に対してコントラストの高い色彩を採用している。
【００２０】
マーカー部分３０は、無色透明の樹脂材料から形成されており、外部（特に底部３２）から内部のマーカー液４０を視認することができる。本実施例では、容器内に封入するマーカー液４０の量は、マーカー部分３０が垂直な状態で、少なくとも底部３２を覆う量であり、容器の内容積の約半分程度の量としている。なお、マーカー部分３０を所定角度傾けた時に、底部３２から、マーカー液４０の変化が視認できる量であれば半分程度である必要はない。
【００２１】
このマーカー部分３０は、円筒形状の中心に貫通孔３１を備えている。マーカー部分３０は、この貫通孔３１によって、上述の薬液口部分２０の円柱外形部分に所定の嵌め合いで取り付けられる。つまり、本実施例のマーカー部分３０は、薬液口部分２０（主容器部分２５）から着脱可能な独立の部品として形成されている。なお、ここでの所定の嵌め合いは、点眼時にマーカー部分３０が脱落しない程度の嵌め合いである。こうした嵌め合いに代えて、ネジ山を螺設し、螺合によりマーカー部分３０を固定するものであっても良いし、接着により取り外し不可能な状態としても良い。
【００２２】
以上の構造からなる点眼薬容器１０を用いた点眼の様子を、図２および図３を用いて説明する。図２は、適切な点眼の様子を、図３は不適切な点眼の様子を、それぞれ示している。
【００２３】
図２に示すように、点眼薬容器１０が傾いていない場合には、底部３２から見たマーカー液４０の色、明るさはほぼ均一な状態となる。すなわち、点眼薬容器１０が傾いていないため、マーカー液４０の底部３２に対する高さ（水位と呼ぶ）は、底部３２の全面に亘ってほぼ同じ水位となる。こうした状態のマーカー液４０を透過する光量が、底部３２の全面に亘ってほぼ同量となる結果、底部３２から見えるマーカー液４０が均一なものとなる。
【００２４】
他方、図３に示すように、点眼薬容器１０が傾いている場合には、底部３２から見たマーカー液４０の色、明るさは不均一な（色むらのある）状態となる。これは、点眼薬容器１０が傾いているため、マーカー液４０の底部３２に対する水位が不均一となり、透過する光量にバラツキがでるためである。
【００２５】
こうしたマーカー液４０の状態を確認するには、底部３２からマーカー液４０を見る必要がある。点眼の際に、底部３２のマーカー液４０を視認し、図３に示す不均一な状態であると判断した場合には、図２に示す均一な状態となるように、点眼薬容器１０の位置を変える動作を行なう。こうすることで、点眼薬容器１０の薬液口は、真っ直ぐな状態で眼球の真上に配置される。この状態で、主容器部分２５を押圧することで、適切な点眼を行なうことができる。つまり、このマーカー液４０（マーカー部分３０）は、薬液口が眼球の真上に配置されたことを認識させる指標となる。
【００２６】
以上に説明した点眼薬容器１０を使用することで、点眼時に、薬液口の三次元的な位置、つまり、薬液口が眼球の真上であるか否かを判断することができる。したがって、不慣れな人であっても、容易で適切な点眼を行なうことができる。
【００２７】
また、本実施例では、底部３２を円形形状で構成するものとし、複雑な局面等を用いた形状としていない。すなわち、比較的簡単な構造でマーカー部分３０を製作することができる。そのため、通常の点眼薬容器にマーカー部分３０を加えた点眼薬容器を製造しても、大きくコストが上がることもない。
【００２８】
なお、底部３２の形状は、円形形状に限らず、四角、三角など、どのような形状であっても良いが、平面的な形状が好ましい。例えば、球面や凸状により底部３２を構成すると、点眼薬容器１０の真下からではなく、斜め下方からでもマーカー液４０を視認することができる。この場合、眼球の真上に薬液口があると誤認する場合もあり得る。これに対して、平面形状であれば、斜めの位置からマーカー液４０を確認し難い。したがって、点眼に失敗する可能性を低減することができる。
【００２９】
こうした点眼の失敗を考慮する場合には、点眼薬容器１０の真下からのみマーカー液４０を視認でき、側方からは視認できないように、容器を形成し、あるいは、所定のシートなどを側面に貼り付けるものとしても良い。
【００３０】
本実施例の点眼薬容器１０では、マーカー液４０に、薬液口部分２０の色彩に対してコントラストの高い色彩を付している。したがって、底部３２からマーカー液４０を見た場合に、薬液口部分２０を明確に認識することができ、薬液口が眼球の真上にあるか否かの判断が容易となる。
【００３１】
本実施例では、点眼薬容器１０が真っ直ぐな状態で、少なくとも底部３２を覆う量のマーカー液４０を容器内に封入している。つまり、このマーカー部分３０を用いて調整したいのは、眼球の真上に薬液口を配置することであって、点眼薬容器１０を鉛直な状態とすることではない。換言すると、点眼薬容器１０が多少鉛直状態でなくても、眼球の真上に薬液口が配置されれば良い。こうした目的を考慮して、マーカー液４０の量を決定している。したがって、あたかも水準器による位置合わせのように、極少量の液体を所定位置に移動させることで垂直を出すような細かな操作を必要としない。
【００３２】
本実施例ではマーカー部分３０を点眼薬容器１０の一部として説明したが、点眼用の補助具として独立した部品であるものとしても良い。すなわち、マーカー部分３０を独立の部品とし、マーカー部分３０の貫通孔３１が、市販の点眼薬容器（薬液口部分２０と主容器部分２５とを有する容器）に係合する構成とする。所定の点眼薬容器に着脱可能な構成とすることで、例えば、点眼薬液を使い切り、新たな点眼薬容器を使い始める場合にも、流用することができる。種々の市販の点眼薬容器と係合するため、数種類のアダプタを設けても良い。アダプタは、補助具としてのマーカー部分３０の貫通孔３１に嵌合し、市販の薬液口のネジに螺合するものとすれば良い。
【００３３】
また、薬液口の外周に係合する構造に代えて、主容器部分２５に係合し、薬液口を取り囲む構造であっても良い。例えば、図４に示すように、Ｕ字型の底部７０を有する形状で補助具１００を形成する。この補助具１００は、点眼薬容器１１０と同種の樹脂で形成され、Ｕ字型の内側で市販の点眼薬容器１１０の胴体に取り付けられる。
【００３４】
こうした構造で補助具を構成することで、市販の点眼薬容器に対応した汎用性の高い補助具を提供することができる。また、市販の点眼薬容器の胴体に取り付けるため、補助具を取り付けたままで、キャップの着脱も可能となる。
【００３５】
以上、本発明の実施の形態について説明したが、本発明はこうした実施の形態に何ら限定されるものではなく、本発明の趣旨を逸脱しない範囲において様々な形態で実施し得ることは勿論である。本実施例の点眼薬容器１０は、マーカー部分３０を別体で形成し、薬液口部分２０に取り付ける構造として説明したが、勿論、可能であれば一体成形することにより点眼薬容器を製作するものとしても良い。
【図面の簡単な説明】
【００３６】
【図１】本発明の一実施例としての点眼薬容器の概略構成図である。
【図２】本実施例の点眼薬容器による適切な点眼の様子を示す説明図である。
【図３】本実施例の点眼薬容器による不適切な点眼の様子を示す説明図である。
【図４】点眼用の補助具の一例を示す概略構成図である。
【図５】一般的な不適切な点眼の説明図である。
【符号の説明】
【００３７】
１０...点眼薬容器
２０...薬液口部分
２５...主容器部分
３０...マーカー部分
３１...貫通孔
３２...底部
４０...マーカー液
５０...点眼薬液
６０...キャップ
７０...底部
１００...補助具
１１０...点眼薬容器
【図１】
2007037775.tif 000003
【図２】
2007037775.tif 000004
【図３】
2007037775.tif 000005
【図４】
2007037775.tif 000006
【図５】
2007037775.tif 000007